(57)【特許請求の範囲】
【請求項１】
測定器の設定情報を取り扱う設定情報処理装置において、
複数の設定情報を格納する格納手段と、
測定器の測定時における測定条件が項目ごとに値で規定された設定情報について値が一致する項目の数を指定する類似個数の入力を受け付ける受付手段と、
前記格納手段に格納された設定情報の内容を現在の設定情報と項目ごとに順次比較し、前記類似個数と等しい数の項目の値が現在の設定情報と一致したとき設定情報を抽出することにより、現在設定されている測定条件と類似した測定条件を抽出する検索手段と、
を備えることを特徴とする設定情報処理装置。
【請求項２】
前記検索手段により抽出された設定情報のみを表示する表示手段を備えることを特徴とする請求項１に記載の設定情報処理装置。
【請求項３】
前記測定器による測定結果を保存する測定結果保存手段を備え、
前記測定結果保存手段は、前記測定条件に応じた保存方法で前記測定結果を保存することを特徴とする請求項１または２に記載の設定情報処理装置。
【請求項４】
前記測定器はデジタルオシロスコープであることを特徴とする請求項１〜３のいずれか１項に記載の設定情報処理装置。
【請求項５】
測定器の設定情報を取り扱う設定情報処理方法において、
複数の設定情報を格納するステップと、
測定器の測定時における測定条件が項目ごとに値で規定された設定情報について値が一致する項目の数を指定する類似個数の入力を受け付けるステップと、
前記格納するステップにより格納された設定情報の内容を現在の設定情報と項目ごとに順次比較し、前記類似個数と等しい数の項目の値が現在の設定情報と一致したとき設定情報を抽出することにより、現在設定されている測定条件と類似した測定条件を抽出するステップと、
を備えることを特徴とする設定情報処理方法。
【発明の詳細な説明】
【技術分野】
【０００１】
本発明は、測定器の設定情報を取り扱う設定情報処理装置および設定情報処理方法に関するものであり、とくに所望の設定情報を容易に抽出しうる設定情報処理装置および設定情報処理方法に関する。
【背景技術】
【０００２】
デジタルオシロスコープ等の波形測定器（特許文献１参照）では、測定に際して、測定対象となる信号に応じて測定レコード長や使用するチャネルのレンジ設定等の各種の測定条件が設定される。また、取り込んだ波形や測定中の解析を行う際には、解析に用いるカーソルに関する設定や解析方法（平均値、最大値の選択等）などの解析に関する各種の条件や方法が設定される。さらに、取り込んだ波形や測定中の波形を表示する際には、その表示方法が設定される。
【特許文献１】特開２００３−２１５１６６号公報
【発明の開示】
【発明が解決しようとする課題】
【０００３】
通常、測定に際して用いられる上記測定条件等は、記憶装置にファイルの形式で登録することができ、例えば、登録されたファイルをロードすることで測定条件を再現することが可能となる。しかし、従来の波形測定器では、ファイルとして登録された測定条件の内容を表示する情報は、ユーザによってファイルに付されたファイル名とファイルに対するコメントのみである。これらの情報には文字数の制限があり、ファイル名とコメントだけでは測定条件を判断することは困難である。このため、目的とする測定条件が格納されていると推測されるファイルをその都度ロードして、測定条件を確認する作業が必要となる場合もあり、測定の準備作業に長時間を要するおそれがある。
【０００４】
また、波形測定器は汎用的に用いられる測定器であるため、種々の信号波形が取り扱われるとともに、複数人が使用する場合もある。したがって、数多くの測定条件が登録されて、必要な測定条件を探し出すことが非常に難しくなる場合もある。
【０００５】
本発明の目的は、迅速かつ容易に必要な設定情報を探し出すことができる設定情報処理装置および設定情報処理方法を提供することにある。
【課題を解決するための手段】
【０００６】
本発明の設定情報処理装置は、測定器の設定情報を取り扱う設定情報処理装置において、複数の設定情報を格納する格納手段と、測定器の測定時における測定条件が項目ごとに値で規定された設定情報について値が一致する項目の数を指定する類似個数の入力を受け付ける受付手段と、前記格納手段に格納された設定情報の内容を現在の設定情報と項目ごとに順次比較し、前記類似個数と等しい数の項目の値が現在の設定情報と一致したとき設定情報を抽出することにより、現在設定されている測定条件と類似した測定条件を抽出する検索手段と、を備えることを特徴とする。
この設定情報処理装置によれば、格納手段に格納された設定情報の内容を検索することにより、現在の設定情報に類似した設定情報を迅速かつ容易に抽出できる。
【０００９】
前記検索手段により抽出された設定情報のみを表示する表示手段を備えてもよい。
【００１１】
前記測定器による測定結果を保存する測定結果保存手段を備え、前記測定結果保存手段は、前記測定条件に応じた保存方法で前記測定結果を保存してもよい。
この場合には、測定結果の保存方法を迅速かつ容易に最適化することができる。また、測定結果の保存方法が、種々混在する事態を回避できる。
【００１４】
前記測定器はデジタルオシロスコープであってもよい。
【００１５】
本発明の設定情報処理方法は、測定器の設定情報を取り扱う設定情報処理方法において、複数の設定情報を格納するステップと、測定器の測定時における測定条件が項目ごとに値で規定された設定情報について値が一致する項目の数を指定する類似個数の入力を受け付けるステップと、前記格納するステップにより格納された設定情報の内容を現在の設定情報と項目ごとに順次比較し、前記類似個数と等しい数の項目の値が現在の設定情報と一致したとき設定情報を抽出することにより、現在設定されている測定条件と類似した測定条件を抽出するステップと、を備えることを特徴とする。
この設定情報処理方法によれば、格納された設定情報の内容を検索することにより、現在の設定情報に類似した設定情報を迅速かつ容易に抽出できる。
【発明の効果】
【００１６】
本発明の設定情報処理装置によれば、格納手段に格納された設定情報の内容を検索することにより、所定の条件を満たす設定情報のみを抽出するので、迅速かつ容易に必要な設定情報を獲得することができる。
【００１７】
本発明の設定情報処理方法によれば、格納された設定情報の内容を検索することにより、所定の条件を満たす設定情報のみを抽出するので、迅速かつ容易に必要な設定情報を獲得することができる。
【発明を実施するための最良の形態】
【００１８】
図１は本発明による設定情報処理装置を機能的に示すブロック図である。
【００１９】
図１において、格納手段１０１は、設定情報を格納する。検索手段１０２は、格納手段１０１に格納された設定情報の内容を検索することにより、所定の条件を満たす設定情報のみを抽出する。
【００２０】
また、受付手段１０３は、所定の条件の入力を受け付ける。この場合、検索手段１０２は、受付手段１０３により受け付けた所定の条件を満たす設定情報のみを抽出する。
【００２１】
さらに、表示手段１０５は、検索手段１０２により抽出された設定情報のみを表示する。
【００２２】
以下、図２〜図８を参照して、本発明による設定情報処理装置を波形測定器に適用した一実施形態について説明する。
【００２３】
図２は本実施形態の設定情報処理装置としての波形測定器の構成を示すブロック図である。
【００２４】
図２に示すように、波形測定器１００はアナログ計測信号を受け入れるＡＤ（アナログ／デジタル）変換器１と、計測信号の信号波形を、ＡＤ変換器１から出力されるデジタルデータ群として記憶するＡＣＱメモリ２と、ＡＣＱメモリ２に記憶された信号波形等を表示する表示装置３と、ユーザの操作を受け付ける操作パネル４と、ＡＣＱメモリ２、表示装置３および操作パネル４に接続された制御部５と、を備える。
【００２５】
また、波形測定器１００には、各種の設定情報をファイルの形式で保存する記憶部６が設けられている。記憶部６に保存される設定情報の種類を以下に示す。
（１）測定条件：  測定時における測定の条件を規定する設定情報であり、特定のチャネルのレンジ（例えば、Ｖ／Ｄｉｖ）、ＡＣＱメモリに取り込まれるデータ長、ＡＣＱメモリ２に取り込まれる波形の横軸分解能、測定の回数（１回の測定値を取り込む／複数回の平均値を取り込む等）、測定のトリガに関する条件（トリガのタイプがWave Window Trigger等）などが含まれる。
（２）解析情報：  信号波形解析時の解析条件ないし解析方法を規定する設定情報であり、解析時に使用するカーソルに関する情報、波形の最大位置の解析／平均値の解析の選択、などが含まれる。
（３）表示情報：  表示装置３上での信号波形等の表示方法を規定する設定情報である。
【００２６】
これらの設定情報には、ユーザが操作パネル４を用いて任意に設定できるものの他、波形測定器１００の内部で自動的に設定されるものを含んでもよい。例えば、信号波形に応じて測定レンジが自動的に設定されるような場合、設定されるレンジを設定情報に含めることができる。
【００２７】
上記のように、設定情報はファイルの形式で記憶部６に登録される。１つのファイルに格納される設定情報は、測定条件、解析情報および表示情報のいずれか１つであってもよいし、これらのうちの複数が１組の設定情報群として１つのファイルに格納されてもよい。
【００２８】
設定情報の内容は、後述するように項目の値に対応付けられ、ファイルに格納される。
【００２９】
本実施形態では、記憶部６に登録されたファイルを検索し、必要なファイルを抽出することができる。以下、ファイル検索時の動作について説明する。
【００３０】
第１に、本実施形態では、現在の設定情報に類似した設定情報を格納したファイルを検索することができる。例えば、現在の測定条件に類似した過去の測定条件を格納したファイルを抽出することができる。抽出されたファイルは表示用メモリ７（図２）に一時保存される。
【００３１】
図３は、現在の設定情報に類似した設定情報を格納したファイルを検索する場合における、操作パネル４に対する操作方法を示す図である。
【００３２】
図３（ａ）に示すように、波形測定器１００の操作パネル４には、表示領域１１と、「Ｆ１」〜「Ｆ５」のファンクションキー群１２と、ノブキー１３と、その他のプッシュスイッチ群１４と、が設けられている。
【００３３】
「ＦＩＬＥ」ボタン１４ａを操作すると、図３（ａ）に示すように、表示領域１１には「検索」ボタン１１ａが表示される。「Ｆ３」キー１２ｃへの操作により「検索」ボタン１１ａを選択すると、表示領域１１に表示される設定ダイアログ１１ｂには、「現在の測定条件に類似」および「設定条件を指定」という２つの選択肢が提示される。「現在の測定条件に類似」を選択すると、図３（ｂ）に示すように、設定ダイアログにより、「類似機能」および「類似個数」が入力可能となる。
【００３４】
「類似機能」は設定情報のうち、おおまかに分類された機能を示しており、例えば、波形の取り込みに関しては「ＡＣＱ」ボタン１４ｂ、トリガーに関しては「ＴＲＩＧＧＥＲ」ボタン１４ｃ、測定レンジ等の測定条件に関しては「ＭＥＡＳＵＲＥ」ボタン１４ｄを、それぞれファンクションキー群１２のうちの対応するキーを操作して選択することで、それぞれ所定の機能が選択される。図３（ｂ）の例では、波形の取り込みに関する機能が選択されている。
【００３５】
「類似個数」は、選択された機能に属する項目のうち、いくつの項目が類似するものを類似するファイルとして抽出するのか、を規定する数である。項目は選択された機能に属する詳細な機能に対応して設けられており、項目にはその機能の設定内容が値として与えられている。例えば、図３（ｂ）に示すように「類似個数」として「５」を入力すれば、波形の取り込みに関する詳細な機能について５つ以上同じもののみが、類似するファイルとして抽出される。
【００３６】
図４は、現在設定されている測定条件に、その測定条件が類似するファイルを抽出する場合の動作手順を示すフローチャートである。この手順は制御部５の制御に基づいて実行される。
【００３７】
上記のように、「類似機能」および「類似個数」が入力され、設定ダイアログ１１ｂ内の「検索実行」ボタン１１ｃ（図３（ｂ））が操作されると、図４の手順が実行される。
【００３８】
図４のステップＳ１では、記憶部６にアクセスして最初のファイルを開くとともに、後述するカウント値をゼロにリセットする。次に、ステップＳ２では現在選択されている項目の現在値を取得する。ここで現在値が取得される項目は、「類似機能」として指定されている機能に属する項目である。なお、各項目の現在値は、その種類に応じた方法で適宜取得される。
【００３９】
次に、ステップＳ３では、ステップＳ１で開かれたファイルから、ステップＳ２での取得対象と同一項目の値を取得する。
【００４０】
次に、ステップＳ４では、ステップＳ２で取得された値、すなわち該当する項目の現在値と、ステップＳ３で取得された値、すなわちファイルに格納されている該当する項目の値とを比較し、両者が等しければステップＳ５へ進む。両者が等しくなければステップＳ８へ進む。
【００４１】
ステップＳ５では、現在値と特定のファイルに格納された値とが一致する項目の個数をカウントするカウント値をカウントアップする。上記のように、このカウント値は新たなファイルを選択する度にリセットされる（ステップＳ１）。
【００４２】
次に、ステップＳ６では、カウント値と「類似個数」とを比較し、両者が一致するか否か判断する。この判断が否定されれば、ステップＳ８へ進み、「類似機能」として選択されている機能に属する項目のすべてについてステップＳ２〜ステップＳ６の処理が終了したか否か判断する。この判断が肯定されればステップＳ９へ進む。
【００４３】
ステップＳ８の判断が否定された場合、ステップＳ２へ進み、「類似機能」として選択されている機能に属する、次の項目について上記の処理を繰り返す。
【００４４】
上記ステップＳ６の判断が肯定された場合、すなわち、カウント値が「類似個数」に到達した場合には、ステップＳ７へ進み、現在開かれているファイルを特定する情報を表示用メモリ７（図２）に格納する。この後、ステップＳ９へ進む。
【００４５】
ステップＳ９では、すべてのファイルについて、ステップＳ１〜ステップＳ８の処理が終了したか否か判断する。判断が否定されれば、現在開かれているファイルを閉じるとともに、ステップＳ１へ戻り、その後、次のファイルについて上記の処理を繰り返す。
【００４６】
ステップＳ９の判断が肯定された場合には、表示用メモリ７（図２）に格納された情報により特定されるすべてのファイルを一覧表示し、図４の処理を終了する。なお、ファイルの表示例については後述する。
【００４７】
第２に、本実施形態では、類似するファイルを抽出する際の抽出条件を、ユーザが指定することができる。
【００４８】
図５は「設定条件を指定」（図３（ｂ））を選択した場合に表示されるダイアログメニューを示している。図５に示すように、おおまかな分類である機能と、その機能に属する項目と、その項目の値とを指定する。機能、項目および項目の値の概念は、上記と同様である。
【００４９】
図５の例では、設定ダイアログ１１ｂに、３つの設定条件が示されており、１行目に表示された設定条件では、波形の取り込みに関する機能（ＡＣＱ）のうち、時間軸分解能（ＴＤｉｖ）の項目が１ｍｓ／Ｄｉｖの値（指定値）である、という条件が指定されている。２行目、３行目にも、それぞれ別の設定条件が示されており、２行目は第１のチャンネル（ＣＨ１）の表示がオン（ＯＮ）であること、３行目はカーソルのタイプが「vertical」であることが、それぞれ示されている。これらの設定条件はユーザが任意に定めることができる。
【００５０】
指定した設定条件がすべて一致しているファイルを抽出する場合には、図５に示すように、設定ダイアログ１１ｂにおいて「ＡＮＤ」を選択する。指定した設定条件のうち１つでも一致しているファイルを抽出する場合には、設定ダイアログ１１ｂにおいて「ＯＲ」を選択する。
【００５１】
図６は、設定ダイアログ１１ｂにおいて「ＡＮＤ」が選択された場合の動作手順を示すフローチャートである。この手順は制御部５の制御に基づいて実行される。
【００５２】
設定ダイアログ１１ｂ内の「検索実行」ボタン１１ｃ（図５）が操作されると、図６の手順が実行される。
【００５３】
図６のステップＳ１１では、記憶部６にアクセスして最初のファイルを開く。次に、ステップＳ１２では現在選択されている項目の指定値を取得する。ここで値が取得される項目および指定値は、図５の設定ダイアログ１１ｂに示された、設定条件として指定されている項目およびその値である。
【００５４】
次に、ステップＳ１３では、ステップＳ１１で開かれたファイルから、ステップＳ１２での取得対象と同一項目の値を取得する。
【００５５】
次に、ステップＳ１４では、ステップＳ１２で取得された値、すなわち該当する項目の指定値と、ステップＳ１３で取得された値、すなわちファイルに格納されている該当する項目の値とを比較し、両者が等しければステップＳ１５へ進む。両者が等しくなければステップＳ１１へ戻り、その後、次のファイルについてステップＳ１１〜ステップＳ１６の処理を繰り返す。
【００５６】
ステップＳ１５では、設定条件として指定されている項目のすべてについてステップＳ１２〜ステップＳ１４の処理が終了したか否か判断する。この判断が否定されれば、ステップＳ１２へ戻り、次の項目についてステップＳ１２〜ステップＳ１４の処理を繰り返す。ステップＳ１５の判断が肯定されれば、ステップＳ１６へ進む。
【００５７】
ステップＳ１６では、現在開かれているファイルを特定する情報を表示用メモリ７（図２）に格納し、ステップＳ１７へ進む。
【００５８】
ステップＳ１７では、すべてのファイルについて、ステップＳ１１〜ステップＳ１６の処理が終了したか否か判断する。判断が否定されれば、現在開かれているファイルを閉じるとともに、ステップＳ１１へ戻り、その後、次のファイルについて上記の処理を繰り返す。判断が肯定されれば、ステップＳ１８へ進む。
【００５９】
ステップＳ１８では、表示用メモリ７（図２）に格納された情報により特定されるすべてのファイルを一覧表示し、図６の処理を終了する。なお、ファイルの表示例については後述する。
【００６０】
次に、設定ダイアログ１１ｂにおいて「ＯＲ」が選択された場合の動作手順について説明する。図７はこの場合の動作手順を示すフローチャートである。この手順は制御部５の制御に基づいて実行される。
【００６１】
設定ダイアログ１１ｂにおいて「ＯＲ」が選択された後、設定ダイアログ１１ｂ内の「検索実行」ボタン１１ｃ（図５）が操作されると、図７の手順が実行される。
【００６２】
図７のステップＳ２１では、記憶部６にアクセスして最初のファイルを開く。次に、ステップＳ２２では現在選択されている項目の指定値を取得する。ここで値が取得される項目および指定値は、図５の設定ダイアログ１１ｂに示された、設定条件として指定されている項目およびその値である。
【００６３】
次に、ステップＳ２３では、ステップＳ２１で開かれたファイルから、ステップＳ２２での取得対象と同一項目の値を取得する。
【００６４】
次に、ステップＳ２４では、ステップＳ２２で取得された値、すなわち該当する項目の指定値と、ステップＳ２３で取得された値、すなわちファイルに格納されている該当する項目の値とを比較し、両者が等しければステップＳ２５へ進む。両者が等しくなければステップＳ２６へ進む。
【００６５】
ステップＳ２５では、現在開かれているファイルを特定する情報を表示用メモリ７（図２）に格納し、ステップＳ２７へ進む。
【００６６】
一方、ステップＳ２６では、設定条件として指定されている項目のすべてについてステップＳ２２〜ステップＳ２４の処理が終了したか否か判断する。この判断が否定されれば、ステップＳ２２へ戻り、次の項目についてステップＳ２２〜ステップＳ２４の処理を繰り返す。ステップＳ２６の判断が肯定されれば、ステップＳ２７へ進む。
【００６７】
ステップＳ２７では、すべてのファイルについて、ステップＳ２１〜ステップＳ２６の処理が終了したか否か判断する。判断が否定されれば、現在開かれているファイルを閉じるとともに、ステップＳ２１へ戻り、その後、次のファイルについて上記の処理を繰り返す。判断が肯定されれば、ステップＳ２８へ進む。
【００６８】
ステップＳ２８では、表示用メモリ７（図２）に格納された情報により特定されるすべてのファイルを一覧表示し、図７の処理を終了する。なお、ファイルの表示例については後述する。
【００６９】
次に、ファイルの表示例を示す。
【００７０】
図８はファイルの一覧表示例を示す図であり、図８（ａ）は検索前における一覧表示を示す図、図８（ｂ）は検索処理（図４、図６および図７）の実行後における一覧表示を示す図である。
【００７１】
図８（ａ）に示す例では、表示領域１１に１４６個のファイルが表示されている。一方、図８（ｂ）では、検索処理の実行後には表示用メモリ７（図２）に格納された情報、すなわちファイル名で特定されるファイルのみを表示領域１１に表示することで、表示対象が５つのファイルに絞り込まれた様子が示されている。
【００７２】
このように表示されるファイルを絞り込んだ後、所定の操作を実行することで、任意のファイルを選択することができる。これにより、迅速かつ容易に測定条件等の設定情報を選択、設定できる。
【００７３】
以上のように、本実施形態によれば、記憶部に格納された設定情報の内容を検索することにより、所定の条件を満たす設定情報のみを抽出するので、迅速かつ容易に必要な設定情報を獲得することができる。
【００７４】
また、現在の設定情報に類似する設定情報を検索することにより、例えば、現在の測定条件で測定が良好に実行できないような場合に、過去に良好な測定が可能であった測定条件を容易に探し出し、この測定条件を適用することができる。また、本実施形態によれば、設定情報のファイルが多数存在する場合にも、迅速かつ容易に必要なファイルを探し出すことが可能となる。
【００７５】
さらに、同種の測定対象に対し、測定条件等の種類をいたずらに増加させるような事態を回避できるため、保存される信号波形等の測定結果の精度を常に良好に保てるとともに、測定結果間の比較精度を高めることができる。
【００７６】
上記実施形態では、測定器自体に本発明による設定情報処理装置を設けた場合を例示したが、本発明による設定情報処理装置の全部または一部を、測定器とは別個の情報処理装置として構成してもよい。
【００７７】
本発明の適用範囲は上記実施形態に限定されることはない。本発明は、測定器の設定情報を取り扱う場面に対し、広く適用することができる。また、測定器の種類、機能に関して本発明が限定されることはない。
【図面の簡単な説明】
【００７８】
【図１】本発明による設定情報処理装置を機能的に示すブロック図。
【図２】本実施形態の設定情報処理装置としての波形測定器の構成を示すブロック図。
【図３】現在の設定情報に類似した設定情報を格納したファイルを検索する場合の操作方法を示す図。
【図４】現在設定されている測定条件にその測定条件が類似するファイルを抽出する場合の動作手順を示すフローチャート。
【図５】「設定条件を指定」を選択した場合に表示されるダイアログメニューを示す図。
【図６】「ＡＮＤ」が選択された場合の動作手順を示すフローチャート。
【図７】「ＯＲ」が選択された場合の動作手順を示すフローチャート。
【図８】ファイルの一覧表示例を示す図であり、（ａ）は検索前における一覧表示を示す図、（ｂ）は検索後における一覧表示を示す図。
【符号の説明】
【００７９】
３      表示装置
４      操作パネル（受付手段）
５      制御部（検索手段）
６      記憶部（格納手段）
１０１  格納手段
１０２  検索手段
１０３  受付手段
１０５  表示手段
【図１】
0004784285.tif 000002
【図２】
0004784285.tif 000003
【図３】
0004784285.tif 000004
【図４】
0004784285.tif 000005
【図５】
0004784285.tif 000006
【図６】
0004784285.tif 000007
【図７】
0004784285.tif 000008
【図８】
0004784285.tif 000009